(57)【要約】      （修正有）【課題】農作業において草削り鍬で、草を地面の表面で草を削る際にどうしても草と土が混ざってしまうことで、混ざった草と土を熊手鍬で分類するか、素手で分類するかであったが、その際に人の作業の為、いちいち腰を曲げて草削り鍬の柄を地面に置いて熊手鍬に取り替える。その為に人はいちいち腰を曲げる手間が掛かる。【解決手段】草削り鍬の柄１の先端に双方異なる刃物５，３０を備えて、生える草を削った後に、柄を１８０度廻すことで反対側に取り付けてある熊手鍬３０が草と土の混在をしている物を草だけをかき集めることを可能にした。【選択図】図１
2011160782.tif 000002
【特許請求の範囲】
【請求項１】
一本の柄の先端部分に金鍬のかたちの異なる鍬を双方に取付けたことを特徴にしたことを提供する。
【請求項２】
一本の柄の先端に金鍬のかたちの異なる刃物を双方に取付けて、その一方が取外し可能にし、また人の背の高さに応じて金鍬の柄の先端部分の鍬の角度を自由に変えることが可能にしたことを特徴にした。
【請求項３】
草刈り鎌で草刈りを行ない、使用する草刈鎌で、草刈り鎌の柄の先端部分に金鍬のかたちの異なる刃物を双方に備えたことを特徴にしたことを提供する。
【発明の詳細な説明】
【技術分野】
【０００１】  農作業において、草削り鍬で畑の草削り後  草と土が混ざる。草削り鍬の柄を地面に置いて草と土の混ざっているものを手で持って土を振るい落とし  草のみを別にすることを解決する事を提供する。
【背景技術】
【０００２】  太い草の根もカットできるとともに、削り取った草をかき集める熊手機能を有する草削り鍬を提供する。草削り鍬の刃先の刃研きを容易にするために、替え刃式にすることによる重量の増加を出来る限り抑えること。草取り及び覆土振い掛け作業の軽減と除草剤使用の減少化等があった。
【先行技術文献】
【特許文献】
【０００３】
【特許文献１】  登録実用新案第３１２４３７７号
【非特許文献１】  公開新案公開平６−７０５０１号
【非特許文献２】  特許公開平７−２８９００１号
【発明の概要】
【発明が解決しようとする課題】
【０００４】  本発明の目的は、農作業において草削り鍬で、草を地面の表面で草を削る際にどうしても草と土が混ざってしまうことで、混ざった草と土を熊手鍬で仕分けする、その際に手作業の為、いちいち腰を曲げて草削り鍬の柄を地面に置いて、柄の付いた熊手鍬に取り替える。その為に人はいちいち腰を曲げる手間が掛かる。その農具を変える事が腰を曲げるので辛いのである。今回の提供する一本の柄の先端部分に双方の異なる刃物の耕具を備えた農具を提供するものである。
【課題を解決するための手段】
【０００５】    畑で使用する農具において、草削り鍬で草を削り、削った草と草の中に混ざった土を仕分けすることを安易に可能にした。柄の先端部分に双方異なる刃物を備えて、生えている草を削った後に、柄を１８０度廻すことで反対側に取り付けてある熊手鍬が土と混在をしている草だけをかき集めることを可能にすることを提供する。
【発明の効果】
【０００６】  本発明は、農作業で畑の草を削る際に柄の付いた草削り鍬で、草削りをした際にどうしても草と土が混ざってしまう時に、地面の上の草の中の土を排出することを目的にした熊手鍬  又別名トークとする。一本の柄の先端部分に２つの異なる作業分野を設けたことを特徴することを提供することにある。
【図面の簡単な説明】
【０００７】
【図１】  金鍬のかたちは、柄の先端部分に双方が異なる種類の金鍬が備えられている。
【図２】  金鍬のかたちは、柄の先端部分に双方の異なる種類の一方が間単に取外し可能にした。
【図３】  柄の先端部分の金鍬を全て安易に取り替え可能にした。
【発明を実施するための形態】
【０００８】  以下、本発明に係る実施形態を図面に基づいて説明する。以下の実施形態は本発明の例示であって本発明を以下の形態に限定するものでない。
実施形態１
図１は、本発明に係る実施形態１の斜視図である。
図１に示す如く、実施形態１に係る一本の（符号１）柄の先端部分に使用される柄は、木製・アルミ製・樹脂製でも良い  双方に金鍬を備えた農具  図示してない取り付け金具等が付随している。（符号５）草削鍬図で、畑で生えている草を削る草削鍬で、他の一方の図示しない（符号３０）六本熊手鍬を使用して草と土の混ざっている混合物を草だけを抽出することを目的にしている。また草削り鍬で草を削った際に草と土との混合物を草だけを抽出してその後、六本熊手鍬又は四本熊手鍬にて凹凸の土を平らに均すことも可能にした、図示しているものに限定するものではない。
【０００９】実施形態２
図２は、本発明に係る実施形態１の斜視図の一部分の分解図であるが以下の形態には限定するものでない。
図２に示す如く、実施形態１に係る一本の柄の先端部分に  双方に金鍬を備えた農具  図示してない取り付け金具等が付随している。
図２の斜視図の図柄では、（符号１）柄であり  柄は、木製・アルミ製・樹脂製でよいが限定するものではない。（符号５）草削鍬は、（符号１）柄に取付けられた草削鍬図である。この草削鍬で草を削り  草を削った際に草と土が混ざってしまう、そこで（符号３０）草集め用の四本熊手鍬を使用して、草と土の混ざった混合物を草だけを抽出する。
図２は、（符号３０）四本熊手鍬である、四本熊手鍬（符号１５ａ）元六角内穴が柄の先端部分の元に取付けられた図示されていない金具（符号１５ｃ）受側六角内孔金具は左右に各１個のガイド用固定孔がある。この金具の受六角内孔は図示されてない受六角内孔形は三角形・四角形・長方形・六角形・丸型でも良いが、（符号１５ｂ）取付け六角オスピンは（符号１５ｃ）の中央に（符号１５ａ）四本熊手鍬の元の金具を嵌め込んで、そこに（符号１５ｂ）六角オスピンを挿入することで収まるが、人の背の高い人又は背の低い人では（符号１）柄の先端部分の取付け金具と鍬の角度を変えなければ農具が使い難い。その為に（符号１５ａ）の六角型メス内孔を丁度良い角度に直して、（符号１５ｂ）六角オスピンを差し込むことで解決できる。並べて角度調整を細かく調整するなら、八角形型等が簡単でよいがこの件は形態に限定するものでない。
【００１０】実施形態３
図３は、本発明に係る実施形態２の斜視図の斜視図である。
図３に示す如く、実施形態２に係る一本の柄の先端部分に  双方に金鍬を備えた農具の先端図である。  図示してない取り付け金具等が付随している。
図３に示す如く、実施形態３に係る柄の先端部分の金鍬を備えた農具の先端図である。（符号５）は草削鍬である、（符号１）手で持つ柄の先端部分の断面図である。（符号３０）金鍬のかたちの変わった四本熊手鍬図であるが、六本手熊鍬又は八本手熊鍬でも良い。（符号１）柄の元に取付けられる受メス内孔型は三角形・六角形・八角形型でも良いその左右にある、受け止め用サイド内孔に（符号３０）四本熊手鍬元の金具（符号１５ａ）が挿入される。挿入後（符号１５ｂ）の図示されていない止め用の三角オスピンが挿入されて使用可能になるが、人の背の高さに応じて、（符号３０）元の元金具１５ａの孔角度を人の高さに比例して鍬の角度を調整してから図示されていない（符号１５ｂ）挿入六角オスピンを入れられることを提供することにある。
図３に示す如く、（符号１）柄の先端部分の元から、図示していない全ての取外し用の金鍬の異なる鍬を差し替え可能にしたことを特長にした、差し替え可能型金鍬の異なる鍬を取付けられることを特徴にしたことを提供することである。
【実施例】
【００１１】  本発明に係る１本の柄に二つの耕具を備えたことを特徴にしたことを説明する。
図１は、全体の写した斜視図である。
図２は、１本の柄の先端部分に備えられる二つの異なる耕具の一方が取外し可能にしたことを特徴にした。又  人の背の高い人と背の低い人では、同じ柄の長さの先端部分の耕具の角度が異なる。この異なる角度を調整することで、作業がしやすくしたことを解決することを目的にした特徴を有する。
図３は、１本の柄の先端部分の元の金鍬の異なる二つ以上の鍬を設けている。この図は柄の先端部分の元を正面から見た図である。（符号１）柄であり（符号５）草削鍬である、（符号３０）四本熊手鍬の図で右下の拡大した四本熊手鍬の（符号１５ａ）元固定内孔枠が柄の（符号１５ｃ）元受け内穴固定枠中央に収まる、その鍬の元を固定する為のピンを挿入する、受メス孔内部の孔角孔を三角形型・四角形型・五角形型・六角形型・八角形型・丸型・長方形・オーバル形型でも何でも可能であるが以上の形態には限定するものでない。
人の背の高さに応じて柄の先端部分の金鍬のかたちにより、鍬の角度が異なる場合が多いが、鍬を差し替える際に、自分のあった鍬の傾斜角度に調整してピンを挿入すれば解決可能になる。全てを解決させたことを特徴にしたことの技術を提供する。
実施形態は本発明の例示であって本発明を以下の形態に限定するものではない。
【産業上の利用可能性】
【００１２】  この発明は、農作業において畑に生える草を  いかに確実に畑から草と土を分別して草を排除することが可能であるかを解決させた。
【符号の説明】
【００１３】    １，柄
５，金鍬のかたちの草削鍬
１５，１５ａ・１５ｂ・１５ｃ
３０，四本熊手鍬
【図１】
2011160782.tif 000003
【図２】
2011160782.tif 000004
【図３】
2011160782.tif 000005